(57)【要約】【課題】より使い勝手の良いメークアップ用カウンセリングシートを提供すること。【解決手段】人の素顔を表示した顔表示部およびこの顔表示部に化粧を施した際のデータを記載する記録部とを有するベースシートと、このベースシートに一端で付着され、顔表示部を覆う保護シートを含み、ベースシートと保護シートが、表示した素顔のほぼ中央で縦に分離可能としてなることを特徴とするメークアップ用カウンセリングシート。【選択図】  図２
2004167710.tif 000002
【特許請求の範囲】
【請求項１】
人の素顔を表示した顔表示部およびこの顔表示部に化粧を施した際のデータを記載する記録部とを有するベースシートと、このベースシートに一端で付着され、顔表示部を覆う保護シートとを含み、ベースシートと保護シートが、表示した素顔のほぼ中央で縦に分離可能としてなることを特徴とするメークアップ用カウンセリングシート。
【請求項２】
ベースシートが、白色、肌色またはファンデーションの号数に合わせた色である請求項第１項記載のメークアップ用カウンセリングシート。
【請求項３】
ベースシートが、紙、ウレタン、プラスチック、ゴムまたは布である請求項第１項または第２項記載のメークアップ用カウンセリングシート。
【請求項４】
保護シートが、セロファン紙、プラスチックフィルムまたは紙である請求項第１項ないし第３項の何れかの項記載のメークアップ用カウンセリングシート。
【請求項５】
保護シートの一部または全部に両面テープが取り付けられ、顔表示部に化粧を施した後保護シートを固定するものである請求項第１項ないし第４項の何れかの項記載のメークアップ用カウンセリングシート。
【請求項６】
記録部が複写式になったものである請求項第１項ないし第５項記載の何れかの項記載のメークアップ用カウンセリングシート。
【発明の詳細な説明】
【０００１】
【発明の属する技術分野】
本発明は、顧客にメークアップ用化粧料の使用方法等をカウンセリングするためのメークアップ用カウンセリングシートに関する。
【０００２】
【従来の技術】
従来から、化粧品店や薬局、あるいはデパートの化粧品売り場等において、顧客にメークアップ等の化粧を施し、化粧効果を確認してもらいながら、化粧品を販売することが行なわれている。これは、購入前に化粧品の使用感や、仕上がり状態がわかるという利点があるが、例えば、アイメーク等では、目を閉じている場合が多いので、顧客に実際の化粧方法が伝わりにくいという問題もあった。また、メークアップ方法を数パターン試したいという時には、直接顧客の顔にメークアップを施すと、時間、労力がかかり、面倒であると共に、仕上がり状態を直接比較できないという問題もあった。
【０００３】
このようなことから、近年、顔を模式的に示したメークアップ用カウンセリングシート（以下、「カウンセリングシート」という）を用いてメークアップ方法を指導したり、メークアップの仕上がり状態の違いを説明することが行われている。このカウンセリングシートを使用することにより、化粧方法や製品の情報がより明確に顧客に伝わると同時に、シート上のみでも化粧方法等について説明ができ、より効率の良いカウンセリングが可能となる。
【０００４】
上記のカウンセリングシートとしては、現在種々のものが提供されているが（例えば、特許文献１〜３）、保存性や、情報保持性等において、十分に満足の行くものとはいえなかった。
【０００５】
【特許文献１】
特許第２８３４４０６号公報
【特許文献２】
実用新案第２５２７１９４号公報
【特許文献３】
特開平１１−３３４２５５号公報
【０００６】
【発明が解決しようとする課題】
従って、より使い勝手の良いカウンセリングシートの開発が求められており、本発明はこのようなカウンセリングシートの提供をその課題とするものである。
【０００７】
【課題を解決するための手段】
本発明者は、上記課題を解決すべく鋭意検討を行った結果、メークアップを施したカウンセリングシートを透明ないし半透明なシートで覆えば、持ち運びや保存に便利であることに気付いた。そして、このシートとカウンセリングシートを同じ部分で分離可能とすることにより、顧客と販売店側の両者で同じメークアップに関する情報の共有化が可能となるので、顧客サービス上極めて有利であることを見出し、本発明を完成した。
【０００８】
すなわち本発明は、人の素顔を表示した顔表示部およびこの顔表示部に化粧を施した際のデータを記載する記録部とを有するベースシートと、このベースシートに一端で付着され、顔表示部を覆う保護シートとを含み、ベースシートと保護シートが、表示した素顔のほぼ中央で縦に分離可能としてなることを特徴とするカウンセリングシートを提供するものである。
【０００９】
【発明の実施の形態】
以下、本発明カウンセリングシートのいくつかの態様を示しながら、説明を行う。
【００１０】
図１および図２は、標準的な本発明カウンセリングシートを示す図面である。図中、１はカウンセリングシート、２はベースシート、３は顔表示部、４は記録部、５は保護シート、６は分離線、７は両面テープを示す。
【００１１】
本発明のカウンセリングシートにおいて、使用されるベースシートとしては、乳液状、ペースト状、粉末状等の化粧料を塗布可能な材質なら何でも良いが、紙、ウレタン、プラスチック、ゴム、布等の不透明なシートが用いられる。このシートは、無着色の白色等であっても、また、肌色やファンデーションの号数に合わせた色等で着色されていても良く、模式的に顔を表示した部分のみが上記色で着色されていても良い。特に、肌色やベースメークであるファンデーションの色に合わせて顔の部分のみ着色すれば、メークアップがポイントメークの効果をより明確に示すことが可能となる。
【００１２】
ベースシート２上には、図１に示すように、模式的に人の素顔を表示する顔表示部３と、化粧を施した際のデータを記載する記録部４が設けられている。この顔表示部３の人の素顔は、後で説明するように、本発明のカウンセリングシートは２つに切り離し、販売店と顧客のそれぞれが保存するので、正面から見た図面であることが好ましい。また、記録部４には、種々の事項が記録しうるが、一般的には、メークアップで使用した化粧料の品名、商品番号、色等の号数、メークアップ上の注意点、カウンセリングシート作成日、担当者名等を記録するようにすればよい。この記録部も、後での分離を考慮し、２つ設けることが好ましい。
【００１３】
このベースシート２には、分離線６が設けられており、簡単に２つに分離することができる。この分離線６は、顔表示部３に記載された人の素顔の中心から、左右に分離できるよう設けることが好ましい。
【００１４】
一方、ベースシート２を覆う保護シート５は、少なくとも顔表示部３を覆う大きさが必要である。この保護シート５は、図２に示すように、ベースシート２の上部に付着されており、ベースシート２に設けた分離線６に対応した位置で分離されているか、若しくは分離可能な状態となっていることが必要である。また、保護シート５の下部には、両面テープ７が取り付けられており、顔表示部３上に実際のメークアップ化粧料を用いてメークアップを施した後、両面テープ７の下側の保護紙を取り外し、ベースシート２に接着させることにより、メークアップ部分を保護する。なお、図１では、保護シート５の下部のみに両面テープ７が設けられていたが、これに限らず、例えば接着部を下部の他左右に設けても、顔の周り全体に設けても良い。
【００１５】
この保護シート５は、透明ないし半透明であることが好ましく、プラスチックフィルム、セロファン紙、紙等が用いられるが、入手容易性や透明性等の面から、塩ビ、ポリエチレン、ポリプロピレン、ＰＥＴ等のプラスチックシートが好ましい。また、紫外線吸収剤を使用した保護シート５を使用することにより、メークアップ部分の光による劣化を防ぐことが可能となる。なお、この保護シート５上に、化粧品の品名、商品番号、色等の号数、メークアップのアドバイス等を表示したり、あるいは書き込むことも可能である。
【００１６】
本態様のカウンセリングシート１は、まず、ベースシート２上の顔表示部３にメークアップを施し、保護シート５の下端部をベースシート２に接着させた後、２ヶ所の記録部４にそれぞれにメークアップで使用した化粧料の品名や、メークアップ上の注意点等を記録した後、中央の分離線６で切り離せば、販売店と顧客の双方で同じメークアップの記録を保持することが可能となる。このカウンセリングシートには、分離した後に販売店や顧客がファイリングしやすいようにパンチ穴等を開けておくこともできる。
【００１７】
図３は、本発明カウンセリングシートの別の態様を示す斜視図である。このカウンセリングシート１は、２ヶ所の記録部４に同じ事項を記入する手間を省くため、記録部４の上に同じ事項を記載した裏カーボン紙８を設けて複写可能とし、一度の記入で済むようにしたものである。そして、記入した裏カーボン紙８は、記録部４の上から剥がし、切り離した反対側のベースシート２に貼付するのである。
【００１８】
また、図３の態様では、保護シート５全体が粘着性シートで構成されており、顔表示部３上にメークアップを施した後、保護紙を取り外し、ベースシート２に接着させることにより、より完全にメークアップ部分を保護することが可能となる。
【００１９】
図３のような構成のカウンセリングシート１によれば、記録部４への記載は１度で済むと共に、２回記載する場合に生じる誤記を防ぐことも可能となる。
【００２０】
【作用】
本発明のカウンセリングシートは、顔表示部３上に設けられた保護シート５により、メークアップ部分を保護することができる。また、分離線６により２つに分離可能であり、顧客と販売店で同じメークアップ情報の共有化がはかれる。
【００２１】
【発明の効果】
本発明のカウンセリングシートは、顧客が販売店から自宅まで持ち帰る間に、メークアップ部分が落ちたりすることはなく、長期間にわたり保存可能なものである。また、販売店と顧客が同じメークアップ情報を共有するので、次回以降のカウンセリングにおいても適切な化粧料の選択や、化粧方法の選択が可能となる。
【００２２】
従って、化粧品販売のツールとして、有利に使用できるものである。
【図面の簡単な説明】
【図１】本発明カウンセリングシートのベースシートの記載事項を示す平面図
【図２】本発明カウンセリングシートの一態様を示す斜視図
【図３】本発明カウンセリングシートの別の態様を示す斜視図
【符号の説明】
１  …  …  カウンセリングシート
２  …  …  ベースシート
３  …  …  顔表示部
４  …  …  記録部
５  …  …  保護シート
６  …  …  分離線
７  …  …  両面テープ
８  …  …  裏カーボン紙
【図１】
2004167710.tif 000003
【図２】
2004167710.tif 000004
【図３】
2004167710.tif 000005